(57)【要約】【課題】  透明な遊技盤において、斬新な電飾効果を得る。【解決手段】  遊技盤１は、その本体となる基板１ａを、前面板１ｂと、背面板１ｃと、それらの間に配された発光板１０とが含まれる積層板で、発光板１０上に設けたＥＬ素子２２を発光させれば基板１ａそのものが発光して電飾となるので、従来の技術では得られなかった斬新な電飾効果になる。【選択図】  図２
2006187559.tif 000002
【特許請求の範囲】
【請求項１】
前面の一部又は全部が遊技領域とされる剛性の基板と、前記基板に装着された遊技盤部品とを備える遊技盤において、
前記基板を、複数枚の板材にて構成される積層構造とし、該積層構造を構成する複数枚の板材のいずれかは発光手段を備える発光板であり、
前記積層構造を構成する複数枚の板材のうち前記発光板よりも前面側に配される板材は透光性である
ことを特徴とする遊技盤。
【請求項２】
請求項１記載の遊技盤において、
前記基板を構成する複数枚の板材には、
前記発光板と、該発光板よりも前面側に配される前面板と、該発光板よりも背面側に配される背面板とが含まれる
ことを特徴とする遊技盤。
【請求項３】
請求項２記載の遊技盤において、
前記発光板には、前記発光手段となる透明な発光素子と、
該発光素子に給電するための透明配線が設けられている
ことを特徴とする遊技盤。
【請求項４】
請求項３記載の遊技盤において、
前記発光素子は、エレクトロルミネッセンス素子（ＥＬ素子）又は発光ダイオード（ＬＥＤ）である
ことを特徴とする遊技盤。
【発明の詳細な説明】
【技術分野】
【０００１】
本発明は、弾球遊技機の技術分野に属し、詳しくは遊技盤に関する。
【背景技術】
【０００２】
透光性の合成樹脂製で前面の一部又は全部が遊技領域とされる基板と、前記基板に装着された遊技盤部品とを備える遊技盤において、前記基板の背後に取り付けたカバーに発光体を配置して、発光体から出て基板を透過した光によって電飾効果を得る技術がある（特開平１０−１７９８５４号公報）。
【特許文献１】特開平１０−１７９８５４号公報（段落００２２〜００２３、図５）
【発明の開示】
【発明が解決しようとする課題】
【０００３】
しかしながら、単に基板の背後に発光体を配置した構成は基板にバックライトを備えたと同じことであり、背後からの光が基板上に設けられた印刷層を透過することによる電飾効果しか期待できない。つまり、透光性の基板を採用した利点を充分に活かしていなかった。
【０００４】
また、印刷層のような「目隠し」機能が無ければ、基板を透して発光体や配線基板等の「楽屋裏」が見えてしまうので、そのような目隠し材を省くわけにはいかない。といって、この目隠し材で光を遮断することもできない。
【課題を解決するための手段】
【０００５】
請求項１記載の遊技盤は、
前面の一部又は全部が遊技領域とされる剛性の基板と、前記基板に装着された遊技盤部品とを備える遊技盤において、
前記基板を、複数枚の板材にて構成される積層構造とし、該積層構造を構成する複数枚の板材のいずれかは発光手段を備える発光板であり、
前記積層構造を構成する複数枚の板材のうち前記発光板よりも前面側に配される板材は透光性である
ことを特徴とする。
【０００６】
遊技盤は、本体となる基板に遊技盤部品が装着され、その前面の一部又は全部が遊技領域とされる。
遊技盤部品には入賞装置やガイドレールのように弾球遊技を行うためには必須となる部品（必須部品）が含まれるのは当然として、例えば装飾を目的として設置される部品や特定の場所や部品（例えば表示装置）を遊技球から保護するための部品のように、弾球遊技の実行という観点では必須ではない部品（非必須部品）も含まれる。例えば表示装置は、これに特定の表示（例えば大当たり表示）がなされると遊技状態が変化するなら必須部品となるし、表示内容が遊技に影響しない（例えば遊技の進行手順などの案内表示を行うだけ）なら非必須部品となる。
【０００７】
請求項１記載の遊技盤は、その本体となる基板を、複数枚の板材にて構成される積層構造とし、その積層構造を構成する複数枚の板材のいずれかは発光手段を備える発光板であり、また積層構造を構成する複数枚の板材のうち発光板よりも前面側に配される板材は透光性であるから、発光手段（発光板）を発光させれば基板そのものが発光して電飾となるので、従来の技術では得られなかった斬新な電飾効果になる。
【０００８】
なお、発光板よりも背面側に配される板材は透光性であることを要さないが、透光性にしてもよい。
また、発光板も、発光手段からの光の放射を妨げない限りで（例えば発光板の背面は）、透光性であることを要さない。
【０００９】
発光手段は、エレクトロルミネッセンス素子（ＥＬ素子）や発光ダイオード（ＬＥＤ）等のような発光素子を使用するのが好ましい。特に、請求項３に記載のように、透明な発光素子と、該発光素子に給電するための透明配線とを発光板に設けておけばよい。透明な発光素子としては、ＥＬ素子やＬＥＤ（例えば特開２００２−８０２２２号、特開２００４−２２０８８８号等）が例示される。また、エネルギ線（例えば紫外線）の照射で発光する蛍光材を担持させておいてもよい。
【００１０】
また、発光板からの光で基板そのものが発光していると見せる効果は、発光素子が目立たないほど良好となる。すなわち、放射された光は見えるとしても、発光素子そのものは遊技者に視認させない方がよい。さらには、発光素子に給電するための配線等も遊技者に視認させなければ最良である。従って、請求項３、４の構成が望ましい。
【００１１】
発光板は、積層構造の基板を構成する複数枚の板材のいずれか１枚で十分であるが、これを複数枚にしてもよい。
積層構造内での発光板の位置に制限はないが、表層（遊技者側）や背面にするよりも内部にした方が、基板の中で発光していると見えるので効果的である。
つまり、請求項２記載のように、前記基板を構成する複数枚の板材には、前記発光板と、該発光板よりも前面側に配される前面板と、該発光板よりも背面側に配される背面板とが含まれる構成にするとよい。
【００１２】
なお、前面板と背面板は、発光板を挟んで前面側になる板と同背面側になる板ということであり、必ずしも基板の前面（遊技領域になる面）を構成する板、同背面を構成する板ということではない。
【００１３】
また、発光板が前面板と背面板との間に配されて基板の内部に位置するので、発光板と背面板との間に不透明ないし半透明のフィルム（例えばハーフミラーフィルム）を配したり、アルミニウム等の蒸着層を配したりして目隠しにすることができる。
【００１４】
積層構造を構成する板材すべてを透光性にした場合は（つまり、基板を透光性にした場合は）、基板の背面に上述の半透明のフィルムを張ったり、アルミニウム等を蒸着したりして目隠しにすることができる。或いは、基板の背面に反射材を配置して（例えばハーフミラーフィルム、アルミニウム等の蒸着やスパッタリング）、基板の背面を光らせることもできる。
【００１５】
基板（積層板）を構成する各単位板（発光板、前面板、背面板等。なお、上述のハーフミラーフィルム等のような、これら以外の層があってもよい。）のうち、少なくとも発光板よりも前面側になる単位板は、透光性であればよく、透明である必要はなく、透光性を損なわなければ染料や顔料で着色されていてもよいし、積層構造の一部に着色したフィルムが用いられてもよい。勿論、発光板よりも背面側になる単位板も同様に透光性にできる。
【００１６】
また積層板全体として、遊技盤として普通に使用する限りは変形しないだけの剛性が要求される。
この剛性は、例えば前面板と背面板とで満たすことができるので、これらはアクリル、ポリカーボネート等の透光性の合成樹脂板を用いるとよいが、これらに限るわけではなく、上述の剛性が得られるという条件を満たすなら（前面板には透光性も要求される。）特に制限はない。前面板と背面板の材質を同じにすることもできるし、例えば前面板は遊技領域とするために硬度を重視してアクリル、背面板は加工性を重視してポリカーボネートというように材質を異ならせることもできる。
【００１７】
発光板の材質は、前面板又は背面板と同様に合成樹脂を使用すればよく、これらの一方又は双方と同材質にしてもよいし、異なる材質であってもよい。なお、発光板はフィルムないし薄いシートのよう材料にしてもよい（上述の剛性を担うことを要さない）。
【発明を実施するための最良の形態】
【００１８】
次に、本発明の実施例等により発明の実施の形態を説明する。なお、本発明は下記の実施例等に限定されるものではなく、本発明の要旨を逸脱しない範囲でさまざまに実施できることは言うまでもない。
［実施例］
本実施例の遊技盤１はパチンコ機用であり、図１に示す外観形状をしている。
【００１９】
遊技盤１は基板１ａに遊技盤部品等を取り付けて構成されているので、先ずそれらを説明する。
基板１ａにはガイドレール２ａ、２ｂ、２ｃが取り付けられており、それらで囲まれた略円形の区画内が遊技領域３とされる。なお、図示は省略したが、ガイドレール２ａ、２ｂ間の切れ目部分には返しゴムが、ガイドレール２ｂ、２ｃ間の切れ目部分にはアウト穴４用のガイド板金が装着されて、それらの切れ目は閉じられる。
【００２０】
遊技領域３の中央部には、上部にワープ入口５ａ、中央部の左右にワープ出口５ｂ、下部に図柄表示装置５ｃ（表示部は３個の７セグメントＬＥＤ）を備えるセンター役物５が取り付けられており、その下方にはゲート７が配されている。ゲート７の下方には電動チューリップ式の可変入賞装置８が配され、その下方にはアタッカー式の大入賞装置９（図示は大入賞口９ａが開放された状態）が配されている。
【００２１】
センター役物５の横には、ランプ風車１１及び普通入賞口１２がそれぞれ左右で対をなして配されている。また、普通入賞口１２の下方には、サイド飾り１３と一体化された普通入賞口１４、１５がそれぞれ左右で対をなして配されている（但し、説明の都合上、左のサイド飾り１３は撤去した状態を図示してある。）。
【００２２】
そして、遊技領域３の最下部には、遊技領域３を通過してきた遊技球をアウト球として排出するためのアウト穴４が設けられている。
また、センター役物５の上方と可変入賞装置８の左右には発光手段であるＥＬ素子２２が配され、それらＥＬ素子２２に給電するための透明配線２４ａ、２８ａも設けられているが（透明配線２４ａ、２８ａは可変入賞装置８の左のＥＬ素子２２用のみ図示して、他は省略。）、これらの詳細は後述する。
【００２３】
なお、遊技領域３には周知の障害釘や風車も配されているが、これらの図示と説明は省略する。
遊技盤部品であるセンター役物５、ゲート７、可変入賞装置８、大入賞装置９、ランプ風車１１、普通入賞口１２及びサイド飾り１３を基板１ａに装着するには、基板１ａに設けられた装着孔１６を必要とする。図１には左のサイド飾り１３のための装着孔１６を図示してあるが、装着孔１６の形状（輪郭）は各遊技盤部品に応じて異なる。但し、基板１ａを貫通している点は全ての装着孔１６に共通している。
【００２４】
基板１ａの断面構造を図２によって説明する。なお、図２は層構造を明瞭に示すための模式図であり寸法等は実際のものとは異なっている。
図２（ａ）に示すように、基板１ａは前面板１ｂ、発光板１０及び背面板１ｃの積層構造をしている。前面板１ｂ及び背面板１ｃは透明な合成樹脂（本実施例ではポリカーボネート）製である。前面板１ｂの板厚は約７ｍｍ、背面板１ｃの板厚は約３ｍｍであり（基板１ａとしての板厚は約１０ｍｍ）、遊技盤としての剛性は十分にある。
【００２５】
発光板１０は、前面板１ｂ及び背面板１ｃと同じく透明な合成樹脂（本実施例ではポリカーボネート）製のフィルム１０ａを主体としており、図２（ｂ）に示すようにフィルム１０ａ上にＥＬ素子２２が形成されている。
【００２６】
ＥＬ素子２２は、フィルム１０ａ上に、第１電極２４、第１絶縁層２５、発光層（ＥＬ材料）２６、第２絶縁層２７、第２電極２８を順に積層形成して形成されている。第１電極２４及び第２電極２８は例えばＩＴＯの薄膜で透明、例えば無機ＥＬ材で形成された発光層２６も薄膜で透明、第１絶縁層２５及び第２絶縁層２７も薄膜で透明であり、ＥＬ素子２２は全体として透明である。
【００２７】
第１電極２４と第２電極２８との間に電圧が印加されると、それらの間に配されている発光層（ＥＬ材料）２６が発光する。そのために、第１電極２４及び第２電極２８は、フィルム１０ａ上に透明な配線として延出されており（図２では第１電極２４の透明配線２４ａだけが示されており、図１には多数の配線２４ａ、２８ａが配置されている領域を図示してある。）、導電性の接着剤２９によりフレキシブル配線基板３０に結ばれている。フレキシブル配線基板３０は、図示省略のＥＬ駆動回路に接続される。そのＥＬ駆動回路が第１電極２４、第２電極２８間の電圧印加を制御することでＥＬ素子２２の発光を制御する。
【００２８】
遊技盤１の外周部分は遊技盤１を保持するための枠部材などによって覆い隠されるので、透明配線２４ａ、２８ａとフレキシブル配線基板３０との接続部やフレキシブル配線基板３０は遊技者の目には見えない。
【００２９】
なお、フィルム１０ａと前面板１ｂ及び背面板１ｃとは、透明な接着剤によって接着されている。この接着剤はフィルム１０ａ、前面板１ｂ及び背面板１ｃの材質（本実施例ではポリカーボネート）と屈折率が近いものが選択されており、これらの界面はほとんど目立たない。
【００３０】
この遊技盤１は、その本体となる基板１ａを、前面板１ｂ、発光板１０及び背面板１ｃにて構成される積層構造とし、前面板１ｂと背面板１ｃで挟まれた発光板１０にはＥＬ素子２２を設けてあるから、ＥＬ素子２２を発光させれば基板１ａそのものが発光して電飾となるので、従来の技術では得られなかった斬新な電飾効果になる。
【００３１】
しかも、ＥＬ素子２２も、これに給電するための透明配線２４ａ、２８ａも
透明であるから、ＥＬ素子２２から放射された光は見えるとしても、ＥＬ素子２２も透明配線２４ａ、２８ａも遊技者に視認できず、基板１ａそのものが発光していると見せる電飾効果は最良である。
【００３２】
ＥＬ素子２２が基板１ａの内部に位置するので、上述の例（図２に示す例）ではそのようになっていないが、基板１ａの背面に不透明ないし半透明のフィルム（例えばハーフミラーフィルム）を張って、或いはアルミニウム等を基板１ａの背面に蒸着して目隠しにすることができる。また、基板１ａの背面に反射材を配置して（例えばハーフミラーフィルム、アルミニウム等の蒸着やスパッタリング）、基板１ａの背面を光らせることもできる。
【００３３】
或いは、背面板１ｃの全体又は一部を不透明にしてもよい。
［その他］
実施例では、透明配線２４ａ、２８ａとフレキシブル配線基板３０との接続を基板１ａの外周部で行っているが、これを装着孔１６の内周部で行ってもよい。
【００３４】
また、実施例では発光体として透明なＥＬ素子２２を使用しているが、透明ＬＥＤなどの発光体を用いることもできる。
【図面の簡単な説明】
【００３５】
【図１】実施例の遊技盤の正面図。
【図２】実施例の遊技盤の層構造を説明する模式図であり、（ａ）は遊技盤の断面模式図、（ｂ）はＥＬ素子部分の拡大断面模式図。
【符号の説明】
【００３６】
１・・・遊技盤、
１ａ・・・基板、
１ｂ・・・前面板、
１ｃ・・・背面板、
３・・・遊技領域、
５・・・センター役物、
７・・・ゲート、
８・・・可変入賞装置、
９・・・大入賞装置、
１０・・・発光板、
１０ａ・・・フィルム、
１１・・・ランプ風車、
１２・・・普通入賞口、
１３・・・サイド飾り、
２２・・・ＥＬ素子、
２４ａ、２８ａ・・・透明配線、
３０・・・フレキシブル配線基板。
【図１】
2006187559.tif 000003
【図２】
2006187559.tif 000004